(57)【特許請求の範囲】
【請求項１】
印刷条件に依存した入力画像データを印刷プロファイルにより測色値データに変換した後、該測色値データをプルーファプロファイルによりプルーファ条件に依存した画像データに変換し、該画像データによりプルーファからプルーフを出力して印刷色再現をシミュレーションするシステムにおける色再現精度を改善する色補正方法において、
前記印刷プロファイルの作成時に測色した印刷カラーチャートを出力するための印刷条件に依存した画像データを、前記印刷プロファイルおよび前記プルーファプロファイルを介してプルーファ条件に依存した画像データに変換するステップと、
該画像データを前記プルーファに供給し、該プルーファからプルーフカラーチャートを出力するステップと、
該プルーフカラーチャートを測色して前記プルーファでシミュレーションされる印刷色再現プロファイルを作成するステップと、
該印刷色再現プロファイルと前記印刷プロファイルとの差分を前記印刷条件に依存した入力画像データの色空間全体に対して求めるステップと、
求めた差分を使用して前記測色値データを補正するステップと
を備えることを特徴とする色補正方法。
【請求項２】
請求項１記載の色補正方法において、
前記求めた差分を使用して前記測色値データを補正するステップでは、
前記求めた差分を前記印刷プロファイルに加算して印刷プロファイルを修正し、該修正した印刷プロファイルにより前記測色値データを補正するステップ
とすることを特徴とする色補正方法。
【請求項３】
請求項１記載の色補正方法において、
前記求めた差分を使用して前記測色値データを補正するステップでは、
前記求めた差分に前記色空間全体での印刷条件に依存した入力画像データの値に依存した重み係数をかけ、該重み係数をかけた差分を前記印刷プロファイルに加算して印刷プロファイルを修正し、該修正した印刷プロファイルにより前記測色値データを補正するステップ
とすることを特徴とする色補正方法。
【請求項４】
印刷条件に依存した入力画像データを印刷プロファイルにより測色値データに変換した後、該測色値データをプルーファプロファイルによりプルーファ条件に依存した画像データに変換し、該画像データによりプルーファからプルーフを出力して印刷色再現をシミュレーションするシステムにおける色再現精度を改善する色補正方法において、
前記印刷プロファイルの作成時に測色した印刷カラーチャートを出力するための印刷条件に依存した画像データを、前記印刷プロファイルおよび前記プルーファプロファイルを介してプルーファ条件に依存した画像データに変換するステップと、
該画像データを前記プルーファに供給し、該プルーファからプルーフカラーチャートを出力するステップと、
該プルーフカラーチャートを測色して前記プルーファでシミュレーションされる印刷色再現プロファイルを作成するステップと、
該印刷色再現プロファイルと前記印刷プロファイルとの差分を前記測色値データの色空間である測色値色空間全体に対して求めるステップと、
求めた差分を使用して前記プルーファ条件に依存した画像データを補正するステップと
を備えることを特徴とする色補正方法。
【請求項５】
請求項４記載の色補正方法において、
前記求めた差分を使用して前記プルーファ条件に依存した画像データを補正するステップでは、
前記求めた差分と前記印刷プロファイルから前記測色値色空間における補正測色値データを求め、該補正測色値データにより前記プルーファプロファイルを修正し、該修正したプルーファプロファイルにより前記プルーファ条件に依存した画像データを補正するステップ
とすることを特徴とする色補正方法。
【請求項６】
請求項４記載の色補正方法において、
前記求めた差分を使用して前記プルーファ条件に依存した画像データを補正するステップでは、
前記求めた差分と前記印刷プロファイルから前記測色値色空間における補正測色値データを求め、該補正測色値データに前記測色値色空間に依存した重み係数をかけた補正測色値データにより前記プルーファプロファイルを修正し、該修正したプルーファプロファイルにより前記プルーファ条件に依存した画像データを補正するステップ
とすることを特徴とする色補正方法。
【請求項７】
印刷条件に依存した入力画像データを印刷プロファイルにより測色値データに変換した後、該測色値データをプルーファプロファイルによりプルーファ条件に依存した画像データに変換し、該画像データによりプルーファからプルーフを出力して印刷色再現をシミュレーションするシステムにおける色再現精度を改善する色補正方法において、
前記印刷プロファイルの作成時に測色した印刷カラーチャートを出力するための印刷条件に依存した画像データを、前記印刷プロファイルおよび前記プルーファプロファイルを介してプルーファ条件に依存した画像データに変換するステップと、
該画像データを前記プルーファに供給し、該プルーファからプルーフカラーチャートを出力するステップと、
該プルーフカラーチャートを測色して測色値データを求めるステップと、
前記印刷カラーチャートの測色値データと前記プルーフカラーチャートの測色値データの差分を前記印刷条件に依存した入力画像データの色空間全体に対して求めるステップと、
求めた差分を使用して前記測色値データを補正するステップと
を備えることを特徴とする色補正方法。
【請求項８】
請求項７記載の色補正方法において、
前記求めた差分を使用して前記測色値データを補正するステップでは、
前記求めた差分を前記印刷プロファイルに加算して印刷プロファイルを修正し、該修正した印刷プロファイルにより前記測色値データを補正する
ことを特徴とする色補正方法。
【請求項９】
請求項７記載の色補正方法において、
前記求めた差分に前記色空間全体での印刷条件に依存した入力画像データの値に依存した重み係数をかけ、該重み係数をかけた差分を前記印刷プロファイルに加算して印刷プロファイルを修正し、該修正した印刷プロファイルにより前記測色値データを補正する
ことを特徴とする色補正方法。
【請求項１０】
請求項３、６、９のいずれか１項に記載の色補正方法において、
前記重み係数は、前記印刷用プルーファの色再現範囲では値１とし、該色再現範囲以外の範囲では値０とする
ことを特徴とする色補正方法。
【請求項１１】
請求項３、６、９のいずれか１項に記載の色補正方法において、
前記重み係数は、前記印刷用プルーファの色再現範囲では値１とし、該色再現範囲から離れるに従い値１から値が徐々に小さくなるようにする
ことを特徴とする色補正方法。
【発明の詳細な説明】
【０００１】
【発明の属する技術分野】
この発明は、輪転機等を利用するカラー印刷機により印刷本紙を用いてカラー印刷物を作成する前に、校正のためのカラー画像が校正紙上に形成されたカラー印刷プルーフ（カラー印刷校正刷りまたは校正刷りあるいは単にプルーフともいう。）をカラープリンタ等の印刷プルーファ（単にプルーファともいう。）により作成する印刷プルーフ作成システムに適用して好適な色補正方法に関する。
【０００２】
【従来の技術】
従来から、製品としての網点画像によるカラー画像が印刷本紙（最終製品となる正式な用紙）に形成されたカラー印刷物をカラー印刷機により作成する前段階で、色等の校正用の校正刷り（プルーフ）を画像出力装置であるカラープリンタ等の印刷用プルーファにより作成している。
【０００３】
印刷用プルーファを使用するのは、印刷機のように製版フイルムや刷版（ＰＳ版）等の作成が不要で短時間に複数回容易に校正紙（記録シート）上にカラー画像が形成されたハードコピー、すなわち校正刷り（プルーフ）を作成することができるからである。
【０００４】
校正紙上にプルーフ用のカラー画像を形成するためには、デバイス［印刷（インク、印刷機、紙等）、写真、イメージセンサ、ＣＲＴ、ＬＥＤ等］依存の画像データ、例えば、ＣＭＹＫ（シアン、マゼンタ、黄、墨）画像データを、予めメーカ等により与えられた標準的な印刷プロファイル（４次元のルックアップテーブル等）により、一旦、デバイス非依存の画像データである測色値データ、例えば、Ｌａｂ画像データやこれと数学的に相互変換可能なＸＹＺ画像データに変換した後、印刷用プルーファプロファイル（以下、単にプルーファプロファイルともいう。）、例えば、プリンタプロファイル（３次元のルックアップテーブル）によりカラープリンタ用のデバイス依存の画像データ、例えば、ＲＧＢ（赤、緑、青）画像データに変換し、このデバイス依存の画像データを用いてカラープリンタ（校正用プリンタともいう。）により校正紙上にカラー画像が形成された校正刷り（プルーフ）を作成するようにしている。
【０００５】
このようにすれば、印刷機に係る印刷物の色をカラープリンタの校正刷り（プルーフ）によりシミュレーションして実際の印刷の前工程で確認することができる。
【０００６】
【発明が解決しようとする課題】
ところで、実際上、印刷機による色再現範囲と前記印刷用プルーファの色再現範囲とは異なるため、印刷用プルーファで再現できない範囲は、ガマットマッピング（色再現域のマッピング）により前記印刷プロファイルと前記プルーファプロファイルとをリンクするようにしている。
【０００７】
このようにリンクしたプロファイルを用いて、ターゲットである印刷物に色が対応するプルーフを印刷用プルーファから出力した場合に、部分的に色の一致が十分ではないとき、リンクしたプロファイルの前段でデバイス依存の画像データＣＭＹＫのそれぞれに対して階調調整（トーンカーブの調整）の微調整を行うようにしている。
【０００８】
しかしながら、この微調整作業は、色のずれに対してどこをどのようにどの程度修正すればよいのかということが明確ではないので手間（時間）がかかり、また、微調整によっても修正できない場合があるという問題がある。
【０００９】
この発明は、このような課題を考慮してなされたものであって、プルーファによるプルーフの色をターゲットである印刷物の色に簡単かつ確実により正確に一致させることを可能とする色補正方法を提供することを目的とする。
【００１０】
【課題を解決するための手段】
この発明は、
印刷条件に依存した入力画像データを印刷プロファイルにより測色値データに変換した後、該測色値データをプルーファプロファイルによりプルーファ条件に依存した画像データに変換し、該画像データによりプルーファからプルーフを出力して印刷色再現をシミュレーションするシステムにおける色再現精度を改善する色補正方法において、
前記印刷プロファイルの作成時に測色した印刷カラーチャートを出力するための印刷条件に依存した画像データを、前記印刷プロファイルおよび前記プルーファプロファイルを介してプルーファ条件に依存した画像データに変換するステップと、
該画像データを前記プルーファに供給し、該プルーファからプルーフカラーチャートを出力するステップと、
該プルーフカラーチャートを測色して前記プルーファでシミュレーションされる印刷色再現プロファイルを作成するステップと、
該印刷色再現プロファイルと前記印刷プロファイルとの差分を前記印刷条件に依存した入力画像データの色空間全体に対して求めるステップと、
求めた差分を使用して前記測色値データを補正するステップと
を備えることを特徴とする（請求項１記載の発明）。
【００１１】
この発明によれば、印刷プロファイルを作成するためのカラーチャートをプルーファからプルーフとして出力する。このプルーフを元の印刷プロファイルと同様に測色してプルーフ条件に依存した画像データと測色値データとの変換関係、すなわち印刷プロファイル（印刷色再現プロファイル）を求める。そして、元の印刷プロファイルと、プルーフから求めた印刷色再現プロファイルとの差分を印刷条件に依存した入力画像データの色空間全体に対して求め、求めた差分を使用して印刷プロファイルから出力される測色データを補正するようにしている。
【００１２】
このように測色データを補正することにより、各色毎のトーンカーブの調整が不要となり、簡単かつ確実にターゲットの印刷物の色にプルーフの色を一致させることができる。
【００１３】
この場合、前記求めた差分を使用して前記測色値データを補正するステップでは、求めた差分を元の印刷プロファイルに加算（符号が逆なので実際には減算となる。）したものを修正後の新たな印刷プロファイル（修正印刷プロファイル）とするようにしている。この修正した印刷プロファイルを使用することにより、記憶手段であるメモリ等を余分に使用することなく、各色毎のトーンカーブの調整等が不要となり、簡単かつ確実にターゲットの印刷物にプルーフの色を一致させることができる（請求項２記載の発明）。
【００１４】
また、前記差分に前記色空間全体での印刷条件に依存した入力画像データの値に依存した重み係数をかけたもの（重み係数をかけた差分）を前記元の印刷プロファイルに加算して修正後の印刷プロファイルとすることにより、より正確に色を一致させることができる可能性が得られる（請求項３記載の発明）。
【００１５】
なお、印刷色再現プロファイルと前記印刷プロファイルとの差分を前記印刷条件に依存した入力画像データの色空間全体に対して求めるのではなく、前記測色値データの色空間である測色値色空間全体に対して求めることで、測色値データを補正するのではなく、求めた差分を使用してプルーファ条件に依存した画像データを補正するようにすることもできる（請求項４記載の発明）。
【００１６】
この場合、求めた差分と前記印刷プロファイルから前記測色値色空間における補正測色値データを求め、該補正測色値データにより前記プルーファプロファイルを修正し、該修正したプルーファプロファイルにより前記プルーファ条件に依存した画像データを補正するようにすることで、印刷プロファイルを修正することなく、プルーファプロファイルの修正のみで、ターゲットの印刷物に一致したプルーフをプルーファから出力することができる（請求項５記載の発明）。
【００１７】
この場合においても、前記差分と前記印刷プロファイルから前記測色値色空間における補正測色値データを求め、該補正測色値データに前記測色値色空間に依存した重み係数をかけた補正測色値データにより前記プルーファプロファイルを修正し、該修正したプルーファプロファイルにより前記プルーファ条件に依存した画像データを補正するようにすることで、より正確に色を一致させることができる可能性が得られる（請求項６記載の発明）。
【００１８】
さらに、この発明では、前記プルーフカラーチャートを測色して求めた測色値データと前記印刷カラーチャートの測色値データの差分を前記印刷条件に依存した入力画像データの色空間全体に対して求め、求めた差分を使用して前記測色値データを補正するようにすることもできる（請求項７記載の発明）。
【００１９】
この発明によれば、印刷色再現プロファイルを作成する必要がない。
【００２０】
この場合においても、差分により印刷プロファイルを修正し、該修正した印刷プロファイルにより前記測色値データを補正するようにすることもできる（請求項８記載の発明）。
【００２１】
また、差分に前記色空間全体での印刷条件に依存した入力画像データの値に依存した重み係数をかけ、該重み係数をかけた差分を前記印刷プロファイルに加算して印刷プロファイルを修正し、該修正した印刷プロファイルにより前記測色値データを補正するようにすることもできる（請求項９記載の発明）。
【００２２】
さらに、前記重み係数を、前記印刷用プルーファの色再現範囲では値１とし、該色再現範囲以外の範囲では値０とすること（請求項１０記載の発明）、あるいは、前記印刷用プルーファの色再現範囲では値１とし、該色再現範囲から離れるに従い値１から値が徐々に小さくなるようにすることにより（請求項１１記載の発明）、さらにより正確に色を一致させることができる可能性が得られる。
【００２３】
【発明の実施の形態】
以下、この発明の一実施の形態について図面を参照して説明する。
【００２４】
図１は、この発明の一実施の形態が適用された印刷プルーフ作成システム１０の概略的な全体構成を示している。
【００２５】
この印刷プルーフ作成システム１０は、基本的には、イーサネット等の通信インタフェースを介して接続される電子集版装置６とカラー画像記録装置８とから構成されている。
【００２６】
電子集版装置６は、電子集版装置本体としてのワークステーション（Ｗ／Ｓ）１２を含み、このＷ／Ｓ１２には、画像入力装置として機能するカラースキャナ２とＣＭＹＫ４版の各フイルム原版を出力するフイルムプリンタ４等が接続されている。
【００２７】
一方、カラー画像記録装置８は、後述する印刷プロファイルおよびプリンタプロファイルが格納され、主に色変換手段として機能するホストコンピュータ（Ｈ／Ｃ）１４と、校正用画像出力装置（校正刷り出力装置あるいは印刷用プルーファまたは単にプルーファともいう。）として機能するプリンタ１６とから構成されている。
【００２８】
Ｗ／Ｓ１２とホストコンピュータ１４とは、それぞれ、図示していない表示装置であるディスプレイと、ＣＰＵ・メモリ（記憶手段）等を有する本体部と、入力装置であるキーボードやマウスを備えている。
【００２９】
Ｗ／Ｓ１２に接続されているカラースキャナ２は、文字や写真が挿入される範囲である罫が書き込まれた版下台紙（図示していない）上の原稿画像を読み取るとともに、他の原稿画像から絵柄、文字、図形等のカラー画像を読み取り、４色（ＣＭＹＫ）色分解後の画像データ（デバイス依存の画像データ）をＷ／Ｓ１２に送る。
【００３０】
Ｗ／Ｓ１２は、カラースキャナ２により読み込んだ版下台紙画像をディスプレイ上に表示させる。ユーザは、この版下台紙画像上に、キーボードやマウスを利用して前記画像データに基づく画像を電子的に集版し、１ページ分の電子集版画像、いわゆる面付けパターンを作成する。
【００３１】
面付けパターンを表すデータがフイルムプリンタ４に供給される。フイルムプリンタ４は、その面付けパターンデータに対応した高画質のＣＭＹＫ各版の印刷用フイルム原版を出力する。
【００３２】
通常、この印刷用フイルム原版から刷版が作成され、作成された刷版が輪転機、すなわち、印刷機７に装着されてインクが塗布される。そして、刷版に塗布されたインクが印刷本紙Ｐａに転移されて画像ＩＭが形成されたカラー印刷物Ｐｍが完成する。
【００３３】
この場合、印刷機７を利用してカラー印刷物Ｐｍを作製する作業は、きわめて大がかりな作業であり、コストも高い。このため、印刷機７による実際の印刷の前にカラー印刷物Ｐｍの仕上がりを確認することを目的として、カラー印刷用プルーファとしてのカラー画像記録装置８が用いられる。
【００３４】
そこで、Ｗ／Ｓ１２を用いて編集・集版された画像は、位置情報、色情報（濃度情報を含む）等を含む１ページ分の画像情報を記述する記述言語データ（記述言語による画像データ）であるＰＤＬ（Page Description Language ）データとしてホストコンピュータ１４に供給される。
【００３５】
ホストコンピュータ１４は、色変換処理等を行い、色変換処理等が行われた画像データがプリンタ（印刷用プルーファ本体あるいはプルーファともいう。）１６に供給される。
【００３６】
プリンタ１６は、供給された画像データに基づきハードコピーＨＣを出力する。この実施の形態において、ハードコピーＨＣは、受像シートＲＳ上に画像ＩＭが形成されたものである。
【００３７】
図２は、ホストコンピュータ１４の主機能の概略的な構成を示している。このホストコンピュータ１４は、色変換手段２０として機能する。すなわち、ホストコンピュータ１４は、Ｗ／Ｓ１２から供給されたＰＤＬデータを図示しないラスタイメージプロセッサ（ＲＩＰ）により解読してビットマップ展開し、各走査画像データであるＣＭＹＫ各画像データ（デバイス依存の画像データ）に展開する。
【００３８】
このＣＭＹＫ各画像データは、それぞれ、色変換用のＬＵＴ（ルックアップテーブル）である印刷プロファイル２６とプリンタプロファイル３６が設定される色変換手段２０に供給される。
【００３９】
色変換手段２０は、入力するデバイス依存の画像データ、この場合、印刷条件に依存した画像データである、例えば、それぞれが網％データであるＣＭＹＫ各色の画像データＩｉｎ＝Ｉｉｎ（Ｃ，Ｍ，Ｙ，Ｋ）をデバイス依存の画像データであるプルーファ条件に依存した画像データ［この実施の形態では、プリンタ条件に依存した画像データ、例えば、ＲＧＢ各色の画像データ（以下、単に、ＲＧＢ画像データともいう。）Ｉｏｕｔ＝Ｉｏｕｔ（Ｒ，Ｇ，Ｂ）］に変換した後、プリンタ１６に出力する。
【００４０】
この場合、色変換手段２０を構成する標準的な印刷プロファイル２６は、供給されるＣＭＹＫ各色の画像データＩｉｎ（Ｃ，Ｍ，Ｙ，Ｋ）を、デバイス非依存の画像データである測色値データとしてのＸＹＺ測色値データＩｃｖ＝Ｉｃｖ（Ｘ，Ｙ，Ｚ）に変換する。
【００４１】
もちろん、印刷プロファイル２６は、画像データＩｉｎをＸＹＺ測色値データＩｃｖに変換するのではなく、これと数学的に相互変換可能なＬａｂ測色値データＩｃｖ＝Ｉｃｖ（Ｌ，ａ，ｂ）に変換する印刷プロファイルとすることもできる。
【００４２】
印刷プロファイル２６により変換されたＸＹＺ測色値データＩｃｖが、色変換手段２０を構成するプリンタ用色変換手段としてのプリンタプロファイル３６によりデバイス非依存の画像データからデバイス依存の画像データであるＲＧＢ画像データＩｏｕｔ＝Ｉｏｕｔ（Ｒ，Ｇ，Ｂ）に変換される。
【００４３】
なお、印刷プロファイル２６の前段に、ＣＭＹＫ各色の画像データＩｉｎをＣＭＹＫ各色毎に階調変換を行う１次元変換の４個のルックアップテーブル（ＬＵＴ）を挿入してもよく、さらに、印刷プロファイル２６の後段に標準の印刷本紙ではなく、所望の印刷本紙を使用しようとするときにその紙色（地色）の差を補正するための１次元のＬＵＴを各測色値ＸＹＺ毎に挿入してもよい。
【００４４】
色変換手段２０を構成するプリンタプロファイル３６により変換されたＲＧＢ画像データＩｏｕｔが、図１に示すように、ホストコンピュータ１４からプリンタ１６に供給されることで、プリンタ１６から受像シートＲＳ上に画像ＩＭが形成されたプルーフ（校正刷り）としてのハードコピーＨＣが出力される。
【００４５】
この実施の形態において、プリンタ１６としては、例えば、ＲＧＢ画像データＩｏｕｔに対応して発光され、ＲＧＢ各画像データＩｏｕｔに応じて強度変調されたＲＧＢの各レーザ光により図示していない感光材料上を走査して潜像を露光記録し、潜像が露光記録された感光材料に水が塗布された後、受像シートＲＳと合わされ、熱現像転写して顕像を受像シートＲＳ上に形成するものが使用されている。
【００４６】
次に、色変換手段２０に設定される標準的な印刷プロファイル（以下、原印刷プロファイルあるいは元の印刷プロファイルともいう。）２６の作成方法、およびこの元の印刷プロファイル２６を修正する修正方法の手順について図３の工程図（第１の実施例）を参照して説明する。
【００４７】
元の印刷プロファイル２６を修正するためには、プリンタプロファイル３６が校正されていることが必要であるが、この校正されたプリンタプロファイル３６は、以下のように作成される。プリンタ１６に供給されるＲＧＢ画像データＩｏｕｔのＲＧＢ各色毎に、値を０値から最大値（例えば、２５５）まで所定の刻みで変化させ、図１に示すように、ＲＧＢ各色の組み合わせにかかる色パッチ４０を受像シートＲＳ上に形成してカラーチャートＣｐｆを作成する。
【００４８】
カラーチャートＣｐｆに形成された各色パッチ４０を測色計４２により測定してＸＹＺ測色値データを求め、ＲＧＢ画像データとＸＹＺ測色値データ（またはＬａｂ測色値データ）との変換テーブルを作成する。この変換テーブルを逆変換し必要に応じて補間処理をすることで、ＸＹＺ測色値データ（図２例では、測色値データＩｃｖ）をＲＧＢ画像データＩｏｕｔに変換するためのＬＵＴを求めることができる。このＬＵＴがプリンタプロファイル３６として設定される（ステップＳ１）。
【００４９】
次に、元の印刷プロファイル２６の作成方法を説明する。元の印刷プロファイル２６は、ＣＭＹＫの網％データをある刻みで変化させたときの測色値テーブルである。例えば、ＣＭＹＫの網％データで１０％刻みの測色値のテーブルを作成しようとする場合、網％値を０、１０、…、１００％と変化させたＣＭＹＫの４色について１１4＝１４６４１色分の測色値を求める必要がある。しかし、実際には、この中、特徴的な数百色だけのフイルムをフイルムプリンタ４により作成した後、刷版を作成し、該刷版を用い印刷機７により標準的な印刷本紙Ｐａ上に標準的なインキを使用して色パッチ４４が形成されたカラーチャートＣｐａとして印刷形成し（図１参照）、各色パッチ４４を測色計４２により測色して前記１０％刻みの測色値テーブル、すなわち標準的な元の印刷プロファイル２６［図２において、ＣＭＹＫ印刷用画像データＩｉｎ（Ｃ，Ｍ，Ｙ，Ｋ）を測色値データＩｃｖ（Ｘ，Ｙ，Ｚ）に変換するための非線形な４次元（４次元３次元変換）のＬＵＴ］を作成する（ステップＳ２）。
【００５０】
この元の印刷プロファイル２６を用い、これに印刷用画像データＩｉｎ＝Ｉｉｎ（Ｃ，Ｍ，Ｙ，Ｋ）を構成する各網％データＣ，Ｍ，Ｙ，Ｋを入力することにより、ＸＹＺ測色値データＩｃｖ＝Ｉｃｖ（Ｘ，Ｙ，Ｚ）に変換することができる。
【００５１】
このように元の印刷プロファイル２６は、変換精度のよいものを作成するためにきわめて大掛かりな測色を必要とする。このため、通常、メーカから、標準的な元の印刷プロファイル２６が提供される。「標準的な」とは、例えば、紙の種類としてはアート紙、コート紙、マット紙、上質紙等、またインキとしては、市場占有率の高い２〜３種類のインキ、さらに印刷機としては、同様に市場占有率の高い印刷機７を常温で用いた場合等を意味する。
【００５２】
次に、元の印刷プロファイル２６を作成するために、印刷したカラーチャートＣｐａと同様のカラーチャートＣｐａ′をプリンタ１６から出力させる（ステップＳ３）。
【００５３】
この場合、印刷したカラーチャートＣｐａを作成したときのＣＭＹＫ各網％データを、ホストコンピュータ１４により走査画像データであるＣＭＹＫ画像データ（換言すれば、元の印刷プロファイル２６の作成時に測色したカラーチャートＣｐａを出力するためのデバイス依存の画像データ）に一意に変換し、変換したＣＭＹＫ画像データを元の印刷プロファイル２６およびプリンタプロファイル３６を通じてプルーファ用デバイス依存の画像データであるＲＧＢ画像データＩｏｕｔに変換する。そして、このＲＧＢ画像データＩｏｕｔに基づきプリンタ１６から、印刷でのカラーチャートＣｐａの色パッチ４４と同一配列の色パッチ４４′が形成されたカラーチャートＣｐａ′を出力する。
【００５４】
このカラーチャートＣｐａ′を構成する色パッチ４４′を元の印刷プロファイル２６と同様に測色して測色値ＸＹＺを得る（ステップＳ４）。
【００５５】
これにより、この色パッチ４４′を有するカラーチャートＣｐａ′から、印刷用プルーファとしてのプリンタ１６のＣＭＹＫ画像データと測色値の変換関係を求め、プリンタ１６で再現される印刷色再現プロファイル２６′が求められる（ステップＳ５）。
【００５６】
次に、ＣＭＹＫ全空間（Ｃが０〜２５５、Ｍが０〜２５５、Ｙが０〜２５５、Ｋが０〜２５５の全組み合わせ）において、該ＣＭＹＫ全空間の画像データ値を入力して得られる、ターゲットとしての元の印刷プロファイル２６の出力測色値Ｔ０（Ｃ，Ｍ，Ｙ，Ｋ）＝Ｘ０，Ｙ０，Ｚ０と、印刷色再現プロファイル２６′の出力測色値Ｔ１（Ｃ，Ｍ，Ｙ，Ｋ）＝Ｘ１，Ｙ１，Ｚ１との差分Δ（Ｃ，Ｍ，Ｙ，Ｋ）＝Ｔ１（Ｃ，Ｍ，Ｙ，Ｋ）−Ｔ０（Ｃ，Ｍ，Ｙ，Ｋ）＝（Ｘ１−Ｘ０，Ｙ１−Ｙ０，Ｚ１−Ｚ０）を求める（ステップＳ６）。
【００５７】
次に、印刷機７の色再現範囲とプリンタ１６の色再現範囲を考慮し、修正後の印刷プロファイル２６Ａとしては、前記差分Δに所定の重み（重み係数）ｗをかけたものを（ステップＳ７）、元の印刷プロファイル２６に加算（実際には符号が逆となるので減算）し、その加算結果を修正後の印刷プロファイル（修正印刷プロファイル）２６Ａとする（ステップＳ８）。
【００５８】
この場合、重みｗは、図４の模式図中、実線で示すように、例えば、プリンタ１６の色再現範囲内では値１をとり、プリンタ１６の色再現範囲外では値０をとる重みｗ１（Ｃ，Ｍ，Ｙ，Ｋ）、あるいは、一点鎖線で示すように、プリンタ１６の色再現範囲から離れるに従い値が値１から値０まで徐々に小さくなる値をとる重みｗ２（Ｃ，Ｍ，Ｙ，Ｋ）とすることができる。この図４において、横軸ＣＭＹＫの値が値０％は、プリンタ１６の受像シートＲＳの紙の値に対応し、横軸ＣＭＹＫの値が値１００％は、印刷機７のインキの値に対応する。
【００５９】
このように設定した重みｗ＝ｗ１，ｗ２をかけた修正後の印刷プロファイル２６Ａの出力測色値をＴ２（Ｃ，Ｍ，Ｙ，Ｋ）とおき、修正後の印刷プロファイル２６Ａの全体の出力測色値をＴｏｕｔとおいた場合、例えば、重みｗがｗ＝ｗ１での、該出力測色値Ｔｏｕｔを、次の（１）式、（２）式で求めることができる。
【００６０】
Ｔｏｕｔ＝Ｔ２＝Ｔ０−１×Δ  （プリンタプロファイルの再現範囲内）…（１）
Ｔｏｕｔ＝Ｔ０                （プリンタプロファイルの再現範囲外）…（２）
このように上述した実施の形態によれば、図５の模式図に示すように、印刷機７により印刷されたカラーチャートＣｐａの各色パッチ４４を測色計４２により測色して、ＣＭＹＫ画像データを測色値データに変換する出力測色値Ｔ０となるターゲットとしての元の印刷プロファイル２６を作成する。
【００６１】
次に、この元の印刷プロファイル２６と、出力ＲＧＢ値がＰ０となるプリンタプロファイル３６とを利用して、印刷されたカラーチャートＣｐａを作成したときのＣＭＹＫ画像データによりプリンタ１６からプルーフとしてのカラーチャートＣｐａ′を出力する。
【００６２】
次に、このカラーチャートＣｐａ′を測色して、プリンタ１６により印刷されたカラーチャートＣｐａが再現されたときの出力測色値がＴ１となる印刷色再現プロファイル２６′を作成する。
【００６３】
次に、印刷機７とプリンタ１６の色再現範囲を考慮して、重みｗ＝ｗ１，ｗ２を設定し、上述した（１）式、（２）式により示した出力測色値がＴｏｕｔとなる修正後の印刷プロファイル２６Ａを作成する。
【００６４】
この修正後の印刷プロファイル２６Ａとプリンタプロファイル３６とをホストコンピュータ１４の修正後の色変換手段２０Ａ（図２参照）として設定することにより、プリンタ１６の出力であるハードコピーＨＣの画像が、ターゲットのカラー印刷物Ｐｍ上の画像ＩＭに対して、色相の異なる複数の色で異なる色のずれ方をしている場合であっても、この修正後の色変換手段２０Ａを用いることにより容易に修正された色合わせが可能となる。
【００６５】
以上が第１の実施例の説明であるが、以降に説明する第２の実施例および第３の実施例の理解を容易化するために、第１の実施例について、図６のブロック図に基づき、ＸＹＺ測色値ではなくＬａｂ測色値として再度説明する（なお、図６のブロック図中、二重四角で囲ったブロックは「処理（ハードウエア又はソフトウエアによる処理）」を表し、一重四角で囲ったブロックはそれぞれ記憶手段としての「プロファイル」あるいは「テーブル」を表している）。
【００６６】
図６において、印刷条件に依存した入力画像データＩｉｎであるチャート印刷データＩｃｈに基づき印刷機７（図１参照）により印刷処理（ステップＳ１１）をして各色パッチ４４が形成された印刷物としてのカラーチャート（印刷カラーチャート）Ｃｐａを作成する。ここで、チャート印刷データＩｃｈの数、換言すれば、色パッチ４４の数は、上述したように数百個である。
【００６７】
次に、印刷カラーチャートＣｐａ中の各色パッチ４４を測色計４２により測色して印刷カラーチャートＬａｂ測色データＬａｂ１を得る（ステップＳ１２）。
【００６８】
次に、測色した印刷カラーチャートＬａｂ測色データＬａｂ１と印刷カラーチャートＣｐａを出力するためのチャート印刷データＩｃｈとを対応し、かつ補間処理により印刷色空間全体での印刷条件に依存した入力画像データＩｉｎに対応する出力測色値データＩｃｖとの対応関係である元の印刷プロファイル２６を作成する（ステップＳ１３：上記ステップＳ２の処理に対応する。）。
【００６９】
次いで、元の印刷プロファイル２６の作成時に測色した印刷カラーチャートＣｐａを出力するための印刷条件に依存した画像データであるチャート印刷データＩｃｈを、その印刷プロファイル２６およびプリンタプロファイル（プルーファプロファイル）３６を介してプルーファ条件に依存した画像データＩｏｕｔに変換し、該画像データＩｏｕｔをプルーファであるプリンタ１６に供給し、該プリンタ１６からプルーフカラーチャートＣｐａ′を出力する（上記ステップＳ３の処理に対応する。）。
【００７０】
次いで、該プルーフカラーチャートＣｐａ′を構成する各色パッチ４４′を測色計４２により測色し（ステップＳ１４：上記ステップＳ４の処理に対応する。）、測色したプルーフカラーチャートＬａｂ測色データＬａｂ２と入力画像データＩｉｎであるチャート印刷データＩｃｈとからプルーファであるプリンタ１６でシミュレーションされる印刷色空間全体での印刷色再現プロファイル２６′をステップＳ１３と同一のプロファイル作成処理により作成する（ステップＳ１５：上記ステップＳ５の処理に対応する。）。
【００７１】
次に、印刷条件に依存した入力画像データＩｉｎ全体に対して印刷色再現プロファイル２６′と印刷プロファイル２６とを通した場合のＬａｂ測色値データＩｃｖ＝Ｌａｂ３とＬａｂ測色値データＬａｂ４とから差分Δ（Ｌａｂ３−Ｌａｂ４＝ΔＬΔａΔｂ）を印刷条件に依存した入力画像データＩｉｎの印刷色空間全体に対して求める（ステップＳ１６：上記ステップＳ６の処理に対応する。）。
【００７２】
このようにして求めた、ＣＭＹＫ画像データＩｉｎをＬａｂ測色値データＩｃｖの差分（差分データ）Δ＝ΔＬΔａΔｂに変換する（ＣＭＹＫ→ΔＬΔａΔｂ）印刷色空間の差分テーブル５１と、元の印刷プロファイル２６とを加算器５２で加算する構成の修正印刷プロファイル２６Ａ′とすることにより、入力画像データＩｉｎの印刷色空間全体に対して、補正されたＬａｂ測色値データＩｃｖ′を得ることの可能な印刷プロファイル２６Ａ′を得ることができる。
【００７３】
この場合、印刷色空間の差分テーブル５１は、上述した重み係数ｗ１あるいは重み係数ｗ２をかけて用いることができる。
【００７４】
すなわち、図７に変形例として示すように、印刷色空間の差分テーブル５１と加算器５２との間に重み係数ｗのかけ算器６０を挿入し、重み係数ｗを記憶するテーブル（重み係数テーブル）６２を入力画像データＩｉｎとかけ算器６０に挿入することができる。重み係数テーブル６２は、入力画像データＩｉｎの値に対応して図４に示した重み係数ｗ１あるいはｗ２を出力して、一方の入力に差分Δが供給されるかけ算器６０の他方の入力に供給する。
【００７５】
印刷色空間の差分テーブル５１と元の印刷プロファイル２６と加算器５２とからなる印刷プロファイル２６Ａ′、あるいは印刷色空間の差分テーブル５１と元の印刷プロファイル２６と重み係数テーブル６２とかけ算器６０と加算器５２とからなる印刷プロファイル２６Ａ′は、ＣＭＹＫ入力画像データＩｉｎを補正後の測色値データＩｃｖ′に変換することのできる１つの修正後の印刷プロファイル２６Ａに統合することができる。
【００７６】
この統合された修正後の印刷プロファイル２６Ａとプリンタプロファイル３６とを用いることにより印刷色空間全体の入力画像データＩｉｎを補正後のプリンタ条件に依存したＲＧＢ画像データＩｏｕｔに変換することができる。
【００７７】
図８は、第２の実施例の説明に供されるブロック図を示している。この図８例では、図６例と比較して差分生成処理（ステップＳ１７）の前の処理までは、上記の図６例と同一である。
【００７８】
この図８例（第２の実施例）において、ステップＳ１７の差分生成処理では、ステップＳ１６の差分生成処理のように印刷色空間全体で対応する差分Δを求めるのではなく、測色値空間全体で対応する差分Δ（Ｌａｂ測色値データＩｃｖに対応する差分Δ）を求めるようにしている。
【００７９】
このようにして求めた、Ｌａｂ測色値データＩｃｖを差分データΔ＝ΔＬΔａΔｂに変換する（Ｌａｂ→ΔＬΔａΔｂ）測色値色空間の差分テーブル５３と、差分データΔＬΔａΔｂと印刷プロファイル２６で得られたＬａｂ測色値データＩｃｖとを加算する加算器５４と、元のプリンタプロファイル３６とからなる修正プリンタプロファイル３６Ａ′を作成する。
【００８０】
このプリンタプロファイル３６Ａ′によれば、Ｌａｂ測色値データＩｃｖの測色値色空間全体に対して得られる補正されたＬａｂ測色値データＩｃｖ′′からプリンタ依存の画像データＩｏｕｔを得ることができる。
【００８１】
この場合においても、図９の変形例として示すように、重み係数テーブル６６とかけ算器６４を挿入する構成とし、測色値色空間の差分テーブル５３に対して、上述した重み係数ｗ１あるいは重み係数ｗ２をかけて用いることができる。なお、この場合の重み係数ｗ＝ｗ１、ｗ２の横軸はＣＭＹＫ軸ではなく測色値である例えばＬａｂ軸（図４参照）となる。
【００８２】
この場合においても、測色値色空間の差分テーブル５３と加算器５４とプリンタプロファイル３６、あるいは測色値色空間の差分テーブル５３と加算器５４とプリンタプロファイル３６と重み係数テーブル６６とかけ算器６４は、印刷プロファイル２６から出力されるＬａｂ測色値データＩｃｖを補正後のプリンタ条件に依存した画像データＩｏｕｔに変換することのできる１つの修正後のプリンタプロファイル３６Ａに統合することができる。
【００８３】
元の印刷プロファイル２６と統合されたプリンタプロファイル３６Ａとを用いることにより印刷色空間全体の入力画像データＩｉｎを補正後のプリンタ条件に依存したＲＧＢ画像データＩｏｕｔに変換することができる。
【００８４】
図１０は、第３の実施例の説明に供されるブロック図を示している。上述した第１および第２の実施例では、差分Δを求める際に、印刷色再現プロファイル２６′を作成して求めるようにしているが、この第３の実施例では差分Δを印刷色再現プロファイル２６′を作成しないで、換言すれば、印刷色再現プロファイル２６′を使用しないで求めるようにしている。
【００８５】
すなわち、この図１０例（第３の実施例）では、ステップＳ１２で求めた印刷カラーチャートＬａｂ測色データＬａｂ１とステップＳ１４で求めたプルーフカラーチャートＬａｂ測色データＬａｂ２とから直接印刷色空間全体での差分Δを求めるようにしている。
【００８６】
このようにして求めたＣＭＹＫ画像データＩｉｎを測色値データΔＬΔａΔｂに変換する（ＣＭＹＫ→ΔＬΔａΔｂ）印刷色空間の差分テーブル５５と印刷プロファイル２６とを合成器５６で合成する構成の修正印刷プロファイル２６Ａ′′とすることにより、入力画像データＩｉｎの印刷色空間全体に対して、補正された測色値データＩｃｖ′′′を得ることのできる印刷プロファイル２６Ａ′′を得ることができる。
【００８７】
この場合においても、図１１の変形例に示すように、重み係数テーブル７０とかけ算器６８を挿入する構成とし、印刷色空間の差分テーブル５５に対して、上述した重み係数ｗ１あるいは重み係数ｗ２をかけて用いることができる。
【００８８】
図１０および図１１に示すように、印刷色空間の差分テーブル５５と元の印刷プロファイル２６と合成器５６、あるいは印刷色空間の差分テーブル５５と元の印刷プロファイル２６と合成器５６と重み係数テーブル７０とかけ算器６８とからなる印刷プロファイル２６Ａ′′は、それぞれ１つの修正後の印刷プロファイル２６Ａに統合することができる。
【００８９】
この統合された修正後の印刷プロファイル２６Ａとプリンタプロファイル３６とにより印刷色空間全体の入力画像データＩｉｎを補正後のプリンタ条件に依存した画像データＩｏｕｔ（ＲＧＢ）に変換することができる。
【００９０】
なお、この図１１例では、印刷色再現プロファイル２６′を作成しないことからプロファイル作成処理（ステップＳ１５）が不要とされ、たとえば、プロファイル作成処理（ステップＳ１３、Ｓ１５）のアルゴリズムが数百の入力データに対応するアルゴリズムであった場合であっても、その数百の入力データ数に限定されることなく、カラーチャートＣｐａ、Ｃｐａ′の色パッチ４４の数を多くした場合、その多い数全体でのパッチ４４に対応する差分Δにより印刷色空間の差分テーブル５５を作成することができるようになるので、結果として、印刷物Ｐｍにより色の近似した（印刷物Ｐｍのシミュレーションにおける印刷色再現精度のよい）ハードコピーＨＣを作成することが可能になるという効果が達成される。
【００９１】
【発明の効果】
以上説明したように、この発明によれば、プルーファ出力であるプルーフがターゲットである印刷物の色に、簡単かつ確実により正確に一致させることができるという効果が達成される。
【００９２】
具体的には、たとえば、印刷されたカラーチャートに対応するカラーチャートを印刷用プルーファからプルーフとして出力する。そして、このプルーフを測色して印刷用プルーファとしてのデバイス依存の画像データと測色値データとの変換関係、すなわちプルーフの印刷プロファイル（印刷色再現プロファイルともいう。）を求める。さらに、該印刷色再現プロファイルと元の印刷プロファイルとの差分を印刷色空間で求め、求めた差分を元の印刷プロファイルに加算（符号が逆なので実際には減算となる。）したものを修正後の新たな印刷プロファイル（修正印刷プロファイル）にしている。
【００９３】
このため、この修正後の印刷プロファイルを用いることにより、プルーファの出力であるプルーフの色がターゲットである印刷物の色に対して、色相が近い複数の色で異なる色のずれ方をしている場合に、従来の各色毎のトーンカーブの調整では修正することが困難であったターゲットである印刷物の色に、前記プルーフの色を容易かつ確実に一致させることができるという効果が達成される。
【００９４】
また、この発明では、上記差分を求める際、印刷色空間ではなく測色値色空間で求め、求めた差分の元のプルーファプロファイルに加算（符号が逆なので実際には減算となる。）したものを修正後の新たなプルーファプロファイル（修正プルーファプロファイル）にしている。
【００９５】
このため、この修正後のプルーファプロファイルを用いることにより、プルーファの出力であるプルーフの色がターゲットである印刷物の色に対して、色相が近い複数の色で異なる色のずれ方をしている場合に、従来の各色毎のトーンカーブの調整では修正することが困難であったターゲットである印刷物の色に、前記プルーフの色を容易かつ確実に一致させることができるという効果が達成される。
【００９６】
さらに、この発明では、印刷プロファイルを作成するための印刷されたカラーチャートに対応するカラーチャートを印刷用プルーファからプルーフとして出力する。そして、このプルーフと前記印刷されたカラーチャートを測色して印刷色空間での測色値の差分を求め、求めた差分を元の印刷プロファイルに加算（符号が逆なので実際には減算となる。）したものを修正後の新たな印刷プロファイル（修正印刷プロファイル）にしている。
【００９７】
この構成によっても、プルーファの出力であるプルーフの色がターゲットである印刷物の色に対して、色相が近い複数の色で異なる色のずれ方をしている場合に、従来の各色毎のトーンカーブの調整では修正することが困難であったターゲットである印刷物の色に、前記プルーフの色を容易かつ確実に一致させることができるという効果が達成される。
【００９８】
以上のように、本発明に係る色補正方法は、印刷機により作成される印刷物の色を、実際の印刷処理の前にプリンタ等のプルーファにより色再現精度よくシミュレーションする際に用いて好適である。
【図面の簡単な説明】
【図１】この発明の一実施の形態が適用された印刷プルーフ作成システムを含む構成を示すブロック図である。
【図２】色変換手段の構成を示すブロック図である。
【図３】この発明の実施の形態の動作説明に供される工程図である。
【図４】色再現範囲の差により重みを変化させることを説明するための線図である。
【図５】この発明の実施の形態の構成を模式的に説明するための線図である。
【図６】第１の実施例の構成説明に供されるブロック図である。
【図７】第１の実施例の変形例の構成説明に供されるブロック図である。
【図８】第２の実施例の構成説明に供されるブロック図である。
【図９】第２の実施例の変形例の構成説明に供されるブロック図である。
【図１０】第３の実施例の構成説明に供されるブロック図である。
【図１１】第３の実施例の変形例の構成説明に供されるブロック図である。
【符号の説明】
２…カラースキャナ                  ４…フイルムプリンタ
６…電子集版装置                    ７…印刷機
８…カラー画像記録装置              １０…印刷プルーフ作成システム
１２…ワークステーション            １４…ホストコンピュータ
１６…プリンタ（印刷用プルーファ）  ２０…色変換手段
２０Ａ…修正後の色変換手段          ２６…元の印刷プロファイル
２６′…プリンタにより再現される印刷色再現プロファイル
２６Ａ、２６Ａ′、２６Ａ′′…修正後の印刷プロファイル
３６…プリンタプロファイル
３６Ａ、３６′…修正後のプリンタプロファイル
４４、４４′…色パッチ
Ｃｐｆ…カラーチャート（プリンタプロファイル作成用）
Ｃｐａ…印刷されたカラーチャート
Ｃｐａ′…プリンタにより再現されたカラーチャート
ＩＭ…画像                          ＨＣ…ハードコピー
Ｐａ…印刷本紙                      Ｐｍ…カラー印刷物
ＲＳ…シート
【図１】
0003691322.tif 000002
【図２】
0003691322.tif 000003
【図３】
0003691322.tif 000004
【図４】
0003691322.tif 000005
【図５】
0003691322.tif 000006
【図６】
0003691322.tif 000007
【図７】
0003691322.tif 000008
【図８】
0003691322.tif 000009
【図９】
0003691322.tif 000010
【図１０】
0003691322.tif 000011
【図１１】
0003691322.tif 000012